(57)【要約】【課題】利便性の高い医療器具を提供する。【解決手段】器具本体１１に信号発生装置１２を設け、アーム取付部１４にアーム１６を抜き差し自在に取り付ける。アーム１６を、アーム取付部１４に抜き差しされる基部と、基部に設けられ器具側構成部２６を形成する可撓管と、この可撓管に連結部を介して連設され治療具側構成部３７を形成する他の可撓管と、この可撓管に設けられたパット取付部とで構成する。両可撓管を、螺旋状に形成された金属板及び金属線で構成し、可撓性を有するとともに曲げた状態で形状を保持できるように構成されている。器具側構成部２６を形成する可撓管の外径寸法を、治療具側構成部３７を形成する可撓管３５の外径寸法より大径とし、器具側構成部２６の剛性を、治療具側構成部３７より高く設定する。【選択図】　　　　　図１
0003097568.tif 000002
【実用新案登録請求の範囲】
【請求項１】
器具本体より延出したアームに患部まで移動される治療具が支持された医療器具において、
前記アームを、可撓性を有するとともに曲げた状態で形状保持する可撓管で構成したことを特徴とする医療器具。
【請求項２】
前記アームを、少なくとも前記器具本体側を構成する器具側構成部と前記治療具側を構成する治療具側構成部とに区画し、前記器具側構成部の剛性を前記治療具側構成部より高く設定したことを特徴とする請求項１記載の医療器具。
【請求項３】
前記アームの外周部をカバーで被覆したことを特徴とする請求項１又は２記載の医療器具。
【請求項４】
前記器具本体に前記アームを支持する補助具を設け、
該補助具を、前記器具本体に固定される固定パイプと、該固定パイプより延出自在に設けられた伸縮パイプと、該伸縮パイプに設けられ前記アームの中途部を保持する保持部とで構成したことを特徴とする請求項１、２又は３記載の医療器具。
【考案の詳細な説明】
【０００１】
【考案の属する技術分野】
本考案は、例えば超音波を患部に当てる為の治療具を備えた医療器具に関する。
【０００２】
【従来の技術】
近年、接骨医院などにおいては、患部に超音波信号を当てる治療が行われており、この治療を行う際には、図５に示すような医療器具１０１が使用されている。
【０００３】
この医療器具１０１の器具本体１１１には、信号発生装置１１２が設けられており、該信号発生装置１１２には、電気信号を出力する為の信号線１１３が接続されている。前記器具本体１１１の側部には、アーム取付部１１４が設けられており、該アーム取付部１１４には、アーム１１５の基端部が差し込まれた状態で支持されている。
【０００４】
該アーム１１５は、基端部に第１関節部１２１を介して接続された第１アーム部１２２と、該第１アーム部１２２に第２関節部１２３を介して接続された第２アーム部１２４とによって構成されており、該第２アーム部１２４は、前記第２関節部１２３を中心に回動できるように構成されている。また、第２アーム部１２４には、第３関節部１２５を介して、支持バー１２６が回動自在に支持されており、該支持バー１２６の先端には、患部に当てられる治療具としてのパッド１２７が設けられている。
【０００５】
このパッド１２７には、前記信号発生装置１１２からの信号線１１３が接続されており、前記信号発生装置１１２からの電気信号に応じた超音波信号を、前記パッド１２７を介して患部に当て、治療を行えるように構成されている。
【０００６】
【考案が解決しようとする課題】
しかしながら、このような医療器具１０１にあっては、アーム１１５の各アーム部１２２，１２４が棒状部材で構成されており、前記アーム１１５を各関節部１２１，１２３，１２５で折り曲げることによって、パッド１２７を患部へ位置合わせしていた。
【０００７】
このため、パッド１２７の可動範囲が自ずと限定され、使い勝手が悪いという問題があった。
【０００８】
本考案は、このような従来の課題に鑑みてなされたものであり、利便性の高い医療器具を提供することを目的とするものである。
【０００９】
【課題を解決するための手段】
前記課題を解決するために本考案の請求項１の医療器具にあっては、器具本体より延出したアームに患部まで移動される治療具が支持された医療器具において、前記アームを、可撓性を有するとともに曲げた状態で形状保持する可撓管で構成した。
【００１０】
すなわち、治療具を器具本体に支持するアームは、可撓性を有するとともに曲げた状態で形状保持することができる可撓管で構成されている。このため、前記アームを曲げることにより、前記治療具は患部まで移動される。
【００１１】
また、請求項２の医療器具においては、前記アームを、少なくとも前記器具本体側を構成する器具側構成部と前記治療具側を構成する治療具側構成部とに区画し、前記器具側構成部の剛性を前記治療具側構成部より高く設定した。
【００１２】
すなわち、治療具を支持するアームは、少なくとも前記器具本体側を構成する器具側構成部と前記治療具側を構成する治療具側構成部とに区画されており、前記器具側構成部の剛性は、前記治療具側構成部より高く設定されている。
【００１３】
このため、当該アームは、剛性の高い器具側構成部によって器具本体に支持される。また、患部まで移動される治療具は、前記器具側構成部より剛性の低い治療具側構成部を介して支持されており、患部位置に合わせた前記治療具の移動が容易に行われる。
【００１４】
さらに、請求項３の医療器具では、前記アームの外周部をカバーで被覆した。
【００１５】
これにより、治療具を支持するアームの断面係数が大きくなり、剛性が高められる。また、アーム当接時のショックが和らげられる。
【００１６】
加えて、請求項４の医療器具にあっては、前記器具本体に前記アームを支持する補助具を設け、該補助具を、前記器具本体に固定される固定パイプと、該固定パイプより延出自在に設けられた伸縮パイプと、該伸縮パイプに設けられ前記アームの中途部を保持する保持部とで構成した。
【００１７】
これにより、アームは、補助具によって中途部が支持される。また、補助具の固定パイプからの伸縮パイプの延出量を可変することで、該伸縮パイプに設けられた保持部による前記アームの保持位置が変更される。
【００１８】
【考案の実施の形態】
以下、本考案の一実施の形態を図に従って説明する。図１は、本実施の形態にかかる医療器具１を示す図であり、該医療器具１は、患部に超音波信号を当てる治療に用いられている。
【００１９】
この医療器具１の器具本体１１には、信号発生装置１２が設けられており、該信号発生装置１２には、電気信号を出力する為の信号線１３，１３が接続されている。前記器具本体１１の上面両側部及び両側板には、アーム取付部１４，・・・が設けられており、各アーム取付部１４，・・・には、患部に当てられる治療具としてのパッド１５，１５を支持するアーム１６，１６が抜き差し自在に取り付けられている。
【００２０】
該アーム１６は、図２にも示すように、前記アーム取付部１４，・・・に抜き差しされる基部２１を備えており、該基部２１には、前記信号線１３が挿入される横穴２２が設けられている。この基部２１のねじ穴２３には、可撓管２４の端部に設けられたねじ部２５がねじ込まれており、この可撓管２４によって、当該アーム１６の器具側構成部２６が構成されている。この可撓管２４は、螺旋状に形成された金属板２７及び金属線２８で構成されており、可撓性を有するとともに曲げた状態で形状を保持できるように構成されている。
【００２１】
この可撓管２４先端のねじ部３１は、連結部３２の大径ねじ穴３３に螺着されており、該連結部３２の小径ねじ穴３４には、図３に示すように、他の可撓管３５下端のねじ部３６が螺着され治療具側構成部３７が構成されている。この可撓管３５も、螺旋状に形成された金属板３８及び金属線３９で構成されており、可撓性を有するとともに曲げた状態で形状を保持できるように構成されている。
【００２２】
前記器具側構成部２６を形成する前記可撓管２４の外径寸法は、前記治療具側構成部３７を形成する可撓管３５の外径寸法より大径のものが使用されている。これにより、当該アーム１６は、前記器具本体側１１を構成する器具側構成部２６と、前記パッド１５側を構成する治療具側構成部３７とに区画されるとともに、前記器具側構成部２６の剛性が前記治療具側構成部３７より高く設定されている。
【００２３】
該治療具側構成部３７を形成する可撓管３５先端のねじ部４１は、パット取付部４２のねじ穴４３に螺着されており、このパット取付部４２の先端には、前記パット１５を傾倒自在に取り付けるための固定板４４が設けられている。前記パット取付部４２の基端部には、横穴４５が形成されており、前記信号発生装置１２からの信号線１３は、前記基部２１の横穴２２と、前記器具側構成部２６を形成する可撓管２４と、前記連結部３２と、前記治療具側構成部３７を形成する可撓管３５と、前記パッド取付部４２の横穴４５とを介して、当該パット取付部４２に取り付けられたパッド１５に接続されるように構成されている。
【００２４】
これにより、このパッド１５は、前記信号発生装置１２からの電気信号を受け、この電気信号に応じた超音波信号を患部に当てて治療が行えるように構成されている。そして、前記アーム１６の外周部は、前記基部２１から前記パット取付部４２に渡る全域が、カバー５１で被覆されている。
【００２５】
また、前記器具本体１１の両側板には、図１に示したように、前記アーム１６を支持する補助具６１が設けられている。この補助具６１は、前記器具本体１１の側板に固定部６２によって磁着されたＬ字状の固定パイプ６３と、該固定パイプ６３より延出自在に設けられたＬ字状の伸縮パイプ６４と、該伸縮パイプ６４の先端に設けられた保持部６５とからなり、該保持部６５によって前記アーム１６の中途部を保持できるように構成されている。
【００２６】
以上の構成にかかる本実施の形態の医療器具１にあっては、治療具としてのパッド１５を器具本体１１に支持するアーム１６は、可撓性を有するとともに曲げた状態で形状保持することができる可撓管２４，３５で構成されている。このため、前記アーム１６を曲げることにより、障害物を回避して前記パッド１５を患部まで移動することができる。
【００２７】
このため、アームを構成するアーム部が棒状部材で形成され、アーム部を連結した関節部で折り曲げてパッドを移動する従来と比較して、パッドの可動範囲が広がるとともに、スムーズな移動を行うことができる。したがって、使い勝手が向上し、利便性を高めることができる。
【００２８】
そして、関節部で折り畳む従来のアームと比較して、省スペース化を図ることができる。
【００２９】
また、パッド１５を支持するアーム１６は、前記器具本体１１側を構成する器具側構成部２６と前記パッド１５側を構成する治療具側構成部３７とに区画されており、前記器具側構成部２６の剛性は、前記治療具側構成部３７より高く設定されている。
【００３０】
このため、パッド１５を支持する当該アーム１６を、剛性の高い器具側構成部２６によって器具本体１１に支持することができる。また、患部まで曲げられて移動されるパッド１５は、前記器具側構成部２６より剛性の低い治療具側構成部３７を介して支持されており、患部位置に合わせたパッド１５の移動を容易に行うことができる。
【００３１】
よって、パッド１５の操作性を損なうこと無く、支持剛性を高めることができる。
【００３２】
さらに、前記アーム１６の外周部をカバー５１で被覆することで、パッド１５を支持するアーム１６の断面係数を大きくし、剛性を高めることができる。また、アーム１６当接時のショックを和らげることもできる。
【００３３】
そして、パッド１５を支持するアーム１６の中途部を、補助具６１で支持することができる。これにより、アーム１６の支持剛性を高めることができる。
【００３４】
また、前記補助具６１の固定パイプ６３からの伸縮パイプ６４の延出量を可変することで、該伸縮パイプ６４に設けられた保持部６５による前記アーム１６の保持位置を可変することができる。これにより、保持部６５による保持位置を先端側へ移動することで、剛性力を高めることができるとともに、保持位置を基端側へ移動することによって、アーム１６の自由度を高めることができる。
【００３５】
なお、本実施の形態においては、器具側構成部２６を形成する可撓管２４の外径寸法を、治療具側構成部３７を形成する可撓管３５の外径寸法より大径にして、器具側構成部２６の剛性を治療具側構成部３７より高く設定した場合を例に挙げて説明したが、これに限定されるものでは無く、図４に示すように、治療具側構成部３６と同じ可撓管３５を二本並列接続して器具側構成部２６を形成しても良い。この場合、基部２１と器具側構成部２６との間に回転板７１を設けることによって、アーム１６の回転を可能とする。
【００３６】
【考案の効果】
以上説明したように、本考案の請求項１の医療器具にあっては、器具本体より延出したアームを曲げることで、該アームに支持された治療具を患部まで移動することができる。
【００３７】
このため、アームを構成するアーム部が棒状部材で形成され、アーム部を連結した関節部で折り曲げて治療具を移動する従来と比較して、治療具の可動範囲が広がるとともに、スムーズな移動を行うことができる。したがって、使い勝手が向上し、利便性を高めることができる。
【００３８】
そして、関節部で折り畳む従来のアームと比較して、省スペース化を図ることができる。
【００３９】
また、請求項２の医療器具においては、治療具を支持するアームを、剛性の高い器具側構成部によって器具本体に支持することができる。また、患部へ移動される治療具は、前記器具側構成部より剛性の低い治療具側構成部を介して支持されており、患部位置に合わせた治療具の移動を容易に行うことができる。
【００４０】
よって、治療具の操作性を損なうこと無く、支持剛性を高めることができる。
【００４１】
さらに、請求項３の医療器具では、アームの外周部をカバーで被覆することで、治療具を支持するアームの断面係数を大きくし、剛性を高めることができる。また、アーム当接時のショックを和らげることもできる。
【００４２】
加えて、請求項４の医療器具にあっては、治療具を支持するアームの中途部を、補助具で支持することができる。これにより、アームの支持剛性を高めることができる。
【００４３】
また、前記補助具の固定パイプからの伸縮パイプの延出量を可変することで、該伸縮パイプに設けられた保持部による前記アームの保持位置を可変することができる。これにより、保持位置を先端側へ移動することで、剛性力を高めることができるとともに、保持位置を基端側へ移動することによって、アームの自由度を高めることができる。
【図面の簡単な説明】
【図１】本考案の一実施の形態を示す正面図である。
【図２】本考案にかかるアームの基端側を示す図である。
【図３】本考案にかかるアームの先端側を示す図である。
【図４】本考案の他の実施の形態を示す正面図である。
【図５】従来の医療器具を示す図である。
【符号の説明】
１　　医療器具
１１　　機器本体
１４　　アーム取付部
１５　　パッド
１６　　アーム
２４　　可撓管
２６　　器具側構成部
３５　　可撓管
３７　　治療具構成部
６１　　補助具
６３　　固定パイプ
６４　　伸縮パイプ
６５　　保持部
【図１】
0003097568.tif 000003
【図２】
0003097568.tif 000004
【図３】
0003097568.tif 000005
【図４】
0003097568.tif 000006
【図５】
0003097568.tif 000007